(57)【要約】【課題】機器に装着される水素ガス発生ユニットを効率よく起動させる水素ガス発生ユニットの加熱システム及び電磁誘導加熱ユニットを提供すること。【解決手段】燃料電池に供給する水素ガスを発生させるための水素ガス発生ユニット２１を加熱するための加熱システムであって、水素ガス発生ユニットに設けられた、化学反応により水素ガスを発生する水素発生部３０と、水素ガス発生ユニット２１が着脱自在に形成され、水素発生部を加熱するための電磁誘導加熱ユニット５０と、水素発生部３０が所定温度に加熱されたことを検出して外部表示させる制御部５１とを備えている。【選択図】図５
2006179276.tif 000002
【特許請求の範囲】
【請求項１】
燃料電池に供給する水素ガスを発生させるための水素ガス発生ユニットを加熱するための加熱システムであって、
前記水素ガス発生ユニットに設けられた、化学反応により水素ガスを発生する水素発生部と、
水素ガス発生ユニットが着脱自在に形成され、前記水素発生部を加熱するための電磁誘導加熱ユニットと、
水素発生部が所定温度に加熱されたことを検出して外部表示させる制御部とを備えていることを特徴とする水素ガス発生ユニットの加熱システム。
【請求項２】
前記水素ガス発生ユニットは、前記水素発生部の周囲を覆う断熱部を備えていることを特徴とする請求項１に記載の水素ガス発生ユニットの加熱システム。
【請求項３】
水素発生部は断熱部に対して着脱自在に構成されることを特徴とする請求項２に記載の水素ガス発生ユニットの加熱システム。
【請求項４】
前記断熱部は、真空断熱であることを特徴とする請求項２又は３に記載の水素ガス発生ユニットの加熱システム。
【請求項５】
前記断熱部と水素発生部の境界部にヒーターを配置していることを特徴とする請求項１〜４のいずれか１項に記載の水素ガス発生ユニットの加熱システム。
【請求項６】
前記水素発生部を構成するカバー部材は電磁誘導により加熱されやすい金属材料とし、前記断熱部を構成するカバー部材は電磁誘導により加熱されない、もしくは加熱されにくい材料としたことを特徴とする請求項１〜５のいずれか１項に記載の水素ガス発生ユニットの加熱システム。
【請求項７】
請求項１〜６のいずれか１項に記載の水素ガス発生ユニットの加熱システムで用いられる電磁誘導加熱ユニット。
【請求項８】
請求項１〜６のいずれか１項に記載の水素ガス発生ユニットの加熱システムで用いられる水素ガス発生システム。
【発明の詳細な説明】
【技術分野】
【０００１】
本発明は、燃料電池に供給する水素ガスを発生させるための水素ガス発生ユニットを加熱するための加熱システム及びこのシステムに用いられる電磁誘導加熱ユニット及び水素ガス発生システムに関するものである。
【背景技術】
【０００２】
燃料電池は、他の発電システムに比べると発電効率が高く、大気を汚染する物質を生成しないという点で注目されているエネルギー源である。燃料電池で発電を行わせるために、カソードへ空気（酸素）を供給し、アノードへ水素を供給する。水素はアノードでの触媒反応によって水素イオン及び電子となり、水素イオンは電解質内を移動し、カソードの触媒反応により酸素と反応して水となる。一方、電子は外部回路を伝わってカソードに移動する。この電子の移動により電気エネルギーが発生することになる。
【０００３】
以上のように、燃料電池には燃料としての水素を供給する必要がある。そこで水素を発生するための装置が種々知られており、例えば、下記特許文献１，２に開示されている。これらはいずれも炭化水素を分解することで水素を発生させるものである。特許文献１，２における水素発生装置は、円筒形の熱供給器と同じく円筒形の反応器により構成されている。
【０００４】
また、下記特許文献３に開示されている水素ガス発生ユニットは、水を収容するためのタンクと、水との化学反応により水素を生成する金属を収容する反応容器と、この反応容器に近接配置される加熱手段と、タンクに収容された水を反応容器に導入するための導入管と、反応容器で生成した水素及び未反応の水をタンク内に導入する戻り管と、タンク内の水素及び水を排出する排出管とを備えている。
【０００５】
これらの水素ガス発生ユニットの場合、反応容器における反応を効率良く行わせるためには、反応に適した温度に加熱する必要があるが、そのために従来技術においても加熱手段が設けられている。特許文献３においては、この加熱手段として、抵抗加熱によるヒータや、正特性サーミスタ、化学反応の酸化熱を利用する加熱器、触媒燃焼による加熱器、誘導加熱による加熱器を用いることが開示されている。特許文献３では、水素ガス発生ユニットの運転を開始するため、水素ガスを発生させるための反応容器（水素発生部に相当）を一対の加熱手段の間に装着する。この加熱手段による加熱により、水蒸気と金属とを化学反応させて水素ガスを発生し、燃料電池セルに供給される。反応容器内の金属が酸化されて水素ガスの発生効率が低下すると、水素ガス発生ユニットの運転を停止させて、反応容器を一対の加熱手段の間から取り出す。そして、新たな金属を反応容器内に充填した上で再び装着する。このようにして、水素ガス発生ユニットによる水素ガスの発生を継続させることができる。
【０００６】
一方、燃料電池は種々の電子機器に対して使用することができ、例えば、ノートパソコン用の電源として使用することができる。この場合、燃料電池セルと水素ガス発生ユニットとを分けてノートパソコンに組み込み、水素ガス発生ユニットだけをノートパソコンに対して着脱自在とすることが好ましい。これは、水素ガスを発生させる化学反応に使用される金属や水を消耗した場合には、これらを新たなものに交換する必要があるからである。また、水素ガス発生ユニットにおける化学反応を開始するためには、化学反応を効率よく行わせるために加熱する必要がある。この場合、ノートパソコン内に設けたヒーターを駆動することで加熱することができるが、ノートパソコンを長時間使用しない状態が続くと、ノートパソコン内部のヒーターで加熱できないことがある。これは、ノートパソコン内に設けられている２次電池が充電されていない状態となっているためであり、２次電池によるヒーターの駆動ができないからである。従って、かかる場合には、水素ガス発生ユニットをスムーズに立ち上げることが難しくなるという問題がある。
【０００７】
特許文献３に開示されるシステムでは加熱手段に対して反応容器を着脱可能に構成しているが、金属の充填を行うとき以外は、常に加熱手段と共に使用される。従って、ノートパソコンのような小型の機器に組み込むには不都合であり、仮に組み込んだとしても長時間不使用時における問題は残っている。水素ガス発生ユニットのみをノートパソコンとは別に設置し、商用電源を利用して加熱させる方法も考えられるが使い勝手が低下する。
【特許文献１】特開２００４−６３１２７号公報
【特許文献２】特開２００４−５９３４０号公報
【特許文献３】特開２００４−１４９３９４号公報
【発明の開示】
【発明が解決しようとする課題】
【０００８】
本発明は上記実情に鑑みてなされたものであり、その課題は、機器に装着される水素ガス発生ユニットを効率よく起動させる水素ガス発生ユニットの加熱システム及び電磁誘導加熱ユニット及び水素ガス発生ユニットを提供することである。
【課題を解決するための手段】
【０００９】
上記課題を解決するため本発明に係る水素ガス発生ユニットの加熱システムは、
燃料電池に供給する水素ガスを発生させるための水素ガス発生ユニットを加熱するための加熱システムであって、
前記水素ガス発生ユニットに設けられた、化学反応により水素ガスを発生する水素発生部と、
水素ガス発生ユニットが着脱自在に形成され、前記水素発生部を加熱するための電磁誘導加熱ユニットと、
水素発生部が所定温度に加熱されたことを検出して外部表示させる制御部とを備えていることを特徴とするものである。
【００１０】
かかる構成による加熱システムの作用・効果を説明する。水素ガス発生ユニットは水素発生部を備えており、化学反応により水素ガスを発生する機能を有する。例えば、純鉄と水蒸気とを反応させることで水素ガスを発生させることができるが、この化学反応を効率よく行わせるためには、加熱する必要がある。そのため電磁誘導加熱ユニットを設けており、水素ガス発生ユニットを着脱自在としている。例えば、ノートパソコン用に使用する場合、ノートパソコンから水素ガス発生ユニットを取り外し、これを電磁誘導加熱ユニットに装着する。電磁誘導加熱ユニットに水素ガス発生ユニットを装着すれば、水素発生部を加熱させて化学反応を効率よく開始することができる。また、水素発生部が所定温度に加熱されたことを検出して、所定温度になったことを表示させることができる。この表示に基づいて、電磁誘導加熱ユニットから水素ガス発生ユニットを取り外し、ノートパソコン等の機器に再び装着することができる。その結果、機器に装着される水素ガス発生ユニットを効率よく起動させる水素ガス発生ユニットを提供することができる。
【００１１】
本発明に係る前記水素ガス発生ユニットは、前記水素発生部の周囲を覆う断熱部を備えていることが好ましい。加熱手段による加熱を行う場合に、その熱が外部に容易に逃げていく構造では加熱効率が低下し、無駄なエネルギーを消費することになる。例えば、鉄と水を反応させて水素ガスを発生する場合の適切な温度は１００℃〜３００℃であるが、効率良く反応を行わせるためには、できるだけ３００℃に近い方が望ましい。そのためにも、熱が逃げないような構造が必要とされる。そこで、水素発生部の周囲を覆う断熱部を設けることで、熱が逃げていかないような構成とすることができる。
【００１２】
水素発生部は断熱部に対して着脱自在に構成されることが好ましい。水素発生部の内部に充填される金属材料を消耗した場合など、水素発生部を着脱自在とすることで新たな金属材料の充填や新たな水素発生部の装着（交換）を容易に行うことができる。
【００１３】
本発明に係る断熱部は、真空断熱であることが好ましい。例えば、筐体部の内部を真空引きすることにより、筐体部の内部に断熱部を形成することができる。これにより、水素発生部を加熱した熱が外部に伝わりにくくすることができる。
【００１４】
本発明において、前記断熱部と水素発生部の境界部にヒーターを配置していることが好ましい。水素ガス発生ユニットを立ち上げるきっかけは電磁誘導加熱ユニットにより行われるが、水素ガス発生ユニットが一旦機器に装着された後は、ヒーターにより行われる。このヒーターは、断熱部と水素発生部の境界部に配置することで、効率よくヒーターによる加熱を行うことができる。
【００１５】
本発明において、前記水素発生部を構成するカバー部材は電磁誘導により加熱されやすい金属材料とし、前記断熱部を構成するカバー部材は電磁誘導により加熱されない、もしくは加熱されにくい材料としたことが好ましい。
【００１６】
水素ガス発生ユニットを加熱する場合に、カバー部材が熱くなると手で触りにくくなる。そこで、水素発生部を構成するカバー部材は電磁誘導により加熱されやすい材料（例えば、ステンレス）とし、断熱部を構成するカバー部材は電磁誘導により加熱されない材料もしくは加熱されにくい材料（例えば、アルミニウム）とする。これにより、一番外側のカバー部材は電磁誘導加熱ユニットにより加熱されない（加熱されにくい）ので、容易に手で触れることができ、機器への装着も容易に行うことができる。
【発明を実施するための最良の形態】
【００１７】
本発明に係る水素ガス発生ユニットの加熱システムの好適な実施形態を図面を用いて説明する。まず、水素ガス発生ユニットを含む燃料電池モジュールをノートパソコンに搭載する場合の構成例を図１により説明する。
【００１８】
＜ノートパソコンにおける燃料電池の搭載＞
図１において、ノートパソコンは、固定本体部１０と可動本体部１１とを備えており、可動本体部１１は固定本体部１０に対して開閉可能に取り付けられており、ノートパソコンを使用する時には、可動本体部１１を開いた状態にする。可動本体部１１は、２箇所のヒンジ部１２により、固定本体部１０に対して回動可能に支持されている。固定本体部１０の内部には、コンピュータ制御部としてのＣＰＵやメモリ、これらを搭載したマザーボード、ハードディスク及びそのコントローラ、外部記憶媒体を駆動する装置などが組み込まれている。可動本体部１１には、表示パネルとして液晶表示パネル１４が搭載されている。液晶表示パネル１４を駆動するための配線を固定本体部１０から接続するために、配線接続部１３も設けられている。
【００１９】
本実施形態のノートパソコンは、商用電源だけでなく、ノートパソコンの内部に搭載される燃料電池モジュールにより駆動することができる。燃料電池モジュールは、可動本体部１１の液晶表示パネル１４の裏面側に搭載される発電ユニット２０と、固定本体部１０内の適宜の個所に搭載される水素ガス発生ユニット２１と、水素ガス発生ユニット２１により発生した燃料ガスを発電ユニット２０に供給するためのガス供給チューブ２２（ガス供給路に相当）とを備えている。ガス供給チューブ２２は、配線接続部１３を経由して接続される。水素ガス発生ユニット２１は、固定本体部１０に対して着脱自在に取り付けられる。
【００２０】
＜燃料電池モジュール＞
図２は、燃料電池モジュールの構成を示す図である。既に説明したように、燃料電池モジュールは、可動本体部１１に搭載される発電ユニット２０と、固定本体部１０に搭載される水素ガス発生ユニット２１とを備えている。発電ユニット２０は、８つの燃料電池セルＳが平面的に並べて配置されており、回路基板２３（平板状の支持基板に相当）に対して接続されている。燃料電池セルＳは平板状であり、これを平面的に並べて配置することで、出力電圧を大きくできると共に、発電ユニット２０全体を薄型化することができる。なお、本発明として燃料電池セルＳを何個搭載するかは、適宜決めることができる。
【００２１】
回路基板２３の燃料電池セルＳが搭載される面とは反対側の面には、電子回路が搭載され、主に昇圧回路と定電圧回路が搭載される。１つの燃料電池セルＳによる電気出力はごくわずかであるので、燃料電池セルＳを複数直列接続することで、出力電圧を大きくすることができる。この出力電圧をさらに昇圧することで、コンピュータを駆動するのに適した電圧値にすることができる。また、燃料電池セルＳの出力は安定していないため、これを安定化させるための定電圧回路を設けることで、安定した電圧をコンピュータに供給することができる。回路基板２３には、不図示の電極（正極及び負極）が設けられており、これらを介してコンピュータに電源が供給される。
【００２２】
＜水素ガス発生ユニットの構成＞
次に水素ガス発生ユニット２１の構成を図３及び図４により説明する。水素ガス発生ユニット２１は、ノートパソコンに対して着脱自在に構成されている。水素ガスを発生させるために純鉄と水を使用するが、これらは消耗品であり、新規のものに交換する必要がある。そのための作業を行いやすくするため、水素ガス発生ユニット２１のみをノートパソコンから取り外せるように構成している。
【００２３】
水素ガス発生ユニット２１は、大きく分けて水素発生部３０と真空断熱部３１により構成される。図４に示すように、水素発生部３０は真空断熱部３１に対して着脱自在に構成されている。前述のように消耗品の交換等を行う場合には、水素発生部３０のみを真空断熱部３１から取り外すようにしている。真空断熱部３１は、消耗品ではなく新規のものに交換する必要性がないからである。純鉄や水を消耗した場合（純鉄は酸化鉄となる）には、水素発生部３０の全体を新しいものに取り替えるか、純鉄と水のみを取り替えるようにする。水素発生部３０全体を取り替えるような場合でも、古い水素発生部３０は廃棄するのではなく再利用に供するようにする。酸化鉄は、還元することで、もとの純鉄に戻すことができる。
【００２４】
水素発生部３０は、鉄収容部３２と水収容部３３とを有している。鉄収容部３２には、純鉄の粉末もしくは純鉄のタブレットが封入される。タブレットは、純鉄の粉末を金型に入れて圧縮成形することで得られる。鉄収容部３２の上部はノートパソコン側のガス供給チューブ２２と接続される接続チューブ３４が取り付けられている。接続チューブ３４の先端部２１ａが、ガス供給チューブ２２に連結される。水素ガス発生ユニット２１をノートパソコンから取り外したときには、先端部２１ａが閉鎖されるような構成とすることが好ましい。
【００２５】
鉄収容部３２の接続チューブ３４とは反対側に、脱脂綿３５が設けられる。この脱脂綿３５は水保持部材として機能する。脱脂綿３５が設けられる空間と、純鉄が封入される空間とは、ネット状部材３６により仕切られている。これにより、鉄収容部３２内の純鉄が脱脂綿３５の側に移動しないようにされる。脱脂綿３５に対して水が供給されるように開口部３７が形成されている。この開口部３７を介して、水収容部３３に封入されている水が供給される。水収容部３３は、鉄収容部３２のほぼ全周囲を覆うように配置されている。なお、水収容部３３の配置は、これに限定されるものではない。水収容部３３を構成するカバー部材３８と、鉄収容部３２を構成するカバー部材３９とは、ステンレスのような磁性材料により形成される。これは、電磁誘導加熱により加熱されやすい金属材料に相当するものである。ステンレス以外の好ましい金属材料としては、鉄、鉄系合金、ニッケル、ニッケル系合金などがあげられる。
【００２６】
水素発生部３０の接続チューブ３４の周囲には、蓋部４０が設けられており、この蓋部４０の内部空間４０ａは真空断熱による断熱部を構成している。これにより、水素発生部３０を加熱した場合の熱が、容易に外に逃げていき難い構造となっている。蓋部４０を構成するカバー部材４１は、アルミニウムのような非磁性材料とし、電磁誘導による加熱が行われないようにしている。これにより、水素発生部３０から容易に熱が逃げないような構成としている。アルミニウム以外の好ましい材料としては、チタン、セラミック、耐熱性樹脂などがあげられる。
【００２７】
真空断熱部３１は、水素発生部３０の周囲（蓋部４０が設けられている部分を除く）を覆うように配置されており、内部空間３１ａは真空断熱されている。真空断熱部３１は、水素発生部３０を収容するための収容凹部３１ｂが形成されている。収容凹部３１ｂは、水素発生部３０よりも少し大きなサイズとなるように設定される。また、収容凹部３１ｂの内壁面にはフィルムヒーター４２が貼り付けられている。このフィルムヒーター４２は、水素発生部３０に対する加熱作用を行う機能を有する。フィルムヒーター４２を用いることで、薄型とすることができ、ノートパソコンに装着する場合に支障が無い。フィルムヒーター４２を駆動する加熱回路は、ノートパソコンの内部に設けられており、この加熱回路と接続するための不図示の端子が真空断熱部３１に設けられている。すなわち、フィルムヒーター４２が駆動されるのは、水素ガス発生ユニット２１をノートパソコンに装着したときだけである。真空断熱部３１を構成するカバー部材４３は、アルミニウムのような非磁性金属を用いることが好ましい。これにより、真空断熱部３１に対して、電磁誘導による加熱が行われないようにすることができる。
【００２８】
次に、水素発生部３０において水素ガスを発生させるときの化学反応について説明する。鉄収容部３２に収容されている純鉄を水あるいは水蒸気と反応させることで、純水素を発生する。発生した水素は、接続チューブ３４に接続されたガス供給チューブ２２を通って、燃料電池セルＳへと供給される。
【００２９】
水素を発生するときの化学反応は、次の式に示すとおりである。
［化１］
４Ｈ2Ｏ＋３Ｆｅ  →  Ｆｅ3Ｏ4＋４Ｈ2
すなわち、 純鉄に水（水蒸気）を供給すると、これらが反応し、酸化鉄と水素ガスを生成する。この化学反応では、二酸化炭素や一酸化炭素のような環境に対して悪影響を与えるガスを発生しない。すなわち、 クリーンなエネルギーであるということができる。水素ガスのみ（純水素）が、燃料電池セルＳに対して供給されることになる。水収容部３３には、水が収容されているが、加熱することにより水蒸気を発生させ、これを鉄収容部３２へと供給することが可能である。
【００３０】
鉄収容部３２における化学反応は、１００℃〜４００℃程度で行われる。鉄収容部３２を上記温度範囲となるようにするために、前述したフィルムヒーター４２が設けられる。フィルムヒーター４２は、純鉄と水蒸気の反応を促進させる目的と、水収容部３３内の水を水蒸気に変化させる目的とを有している。
【００３１】
＜水素ガス発生ユニットの加熱システム＞
次に、水素ガス発生ユニットを加熱するシステムについて説明する。水素ガス発生ユニット２１において水素ガスを発生するためには、フィルムヒーター４２により加熱をするが、ノートパソコンを長時間使用しなかった後に水素ガス発生ユニット２１を立ち上げる場合、フィルムヒーター４２による加熱を行えないことがある。例えば、ノートパソコン内に設けられている２次電池が蓄電されておらず、使用できなくなっている場合である。このような場合、水素ガス発生ユニット２１をスムーズに立ち上げるための加熱システムが必要となる。そこで、図５の実施形態に示すような電磁誘導加熱ユニット５０を用いた加熱システムを用いる。
【００３２】
水素発生部３０を加熱するための加熱手段として電磁コイル４５が設けられている。電磁コイル４５は、収容ケース４６内に収容されている。収容ケース４６には、収容凹部４６ａが形成されており、水素ガス発生ユニット２１を着脱自在に挿入することができる。収容凹部４６ａの大きさは、水素ガス発生ユニット２１の外形サイズよりも少し大きなサイズとなるように設定されている。電磁誘導加熱ユニット５０には、商用電源に接続するためのコンセントが設けられており、例えば、家電製品の充電器と同じように取り扱うことが可能である。
【００３３】
駆動回路４７は、電磁コイル４５を駆動するための電子回路等により構成される。装着センサー４８は、水素ガス発生ユニット２１が電磁誘導加熱ユニット５０に装着されたことを検出するセンサーである。例えば、反射型の光センサーにより構成される。装着検出部４９は、装着センサー４８の検出結果に基づいて、水素ガス発生ユニット２１が装着されたか否かを検出する。タイマー設定部５４は、水素発生部３０が所定温度に加熱されたことを検出するために設けられており、予め決められた時間データが設定されている。制御部５１は、水素ガス発生ユニット２１が装着されたことが検出されると、駆動回路４７に指令を与えて、電磁コイル４５を駆動させる。
【００３４】
表示ランプ５３は、水素ガス発生ユニット２１が装着されたことや水素発生部３０が所定温度になったことを表示させる。表示ランプ５３は、例えばＬＥＤを使用することができる。表示駆動回路５２は、表示ランプ５３の表示制御を行うための電子回路等により構成される。制御部５１は、装着検出部４９やタイマー設定部５４に基づいて、表示ランプ５３に対する表示制御を行うことができる。表示ランプ５３の表示形態（例えば、点灯、点滅）は、表示させたい内容に応じて変化するように制御される。
【００３５】
＜加熱動作＞
次に、図５に示す水素ガス発生ユニットの加熱システムを用いて、水素発生部３０の加熱を行う場合の動作を説明する。ノートパソコンから、水素ガス発生ユニット２１を取り出し、電磁誘導加熱ユニット５０に装着する。装着を完了すると、装着センサー４８により水素ガス発生ユニット２１が検出され、電磁コイル４５に駆動が開始される。これと同時に、表示ランプ５３が例えば点滅して表示される。この点滅表示により、水素発生部３０が加熱中であることがわかる。水素発生部３０のカバー部材３８，３９はステンレスであるので、電磁コイル４５により加熱されるが、断熱部３１のカバー部材４３はアルミニウムであるので加熱されにくい。これにより、水素ガス発生ユニット２１の内部にある水素発生部３０のみを加熱することができる。
【００３６】
電磁コイル４５の加熱により水収容部３３の水が加熱され水蒸気となる。この水蒸気が鉄収容部３２へと供給され純鉄と反応する。これにより、水素ガスが発生する。電磁コイル４５による加熱は鉄収容部３２にも伝達されるため、水素ガスを発生させる化学反応を効率よく行うことができる。タイマー設定部５４において設定されている所定時間が到達すると、制御部５１は電磁コイル４５による加熱を停止するように、駆動回路４７に対して指令を与える。また、表示駆動回路５２に対しても指令を与え、表示ランプ５３の表示態様を点滅から点灯に切り替える。これにより、加熱が終了したことを認識することができる。そこで、電磁誘導加熱ユニット５０から水素ガス発生ユニット２１を取り出し、再びノートパソコンに装着させる。このとき、一番外側のカバー部材４３は（ほとんど）加熱されないため、手で触れたとしても問題はない。
【００３７】
ノートパソコンに一旦装着した後は、フィルムヒーター４２により水素発生部３０を加熱することが可能である。ノートパソコンを長期の間、使用しなかった場合には、再び水素ガス発生ユニット２１を取り出して電磁誘導加熱ユニット５０にセットすればよい。
【００３８】
また、水素ガス発生ユニット２１内の純鉄や水が消耗された場合には、図４に示すように水素発生部３０のみを取り出して新しいものと交換すればよい。
【００３９】
＜別実施形態＞
本実施形態では、燃料電池をノートパソコンに使用する場合の構成例を説明したが、これに限定されるものではなく、ノートパソコン以外の任意の機器に使用する場合にも本発明は応用できるものである。図２に示す燃料電池セルＳは一例を示すものであり、他のタイプの燃料電池セルに対しても、本発明は応用できるものである。
【００４０】
水素ガス発生ユニットの構成は、本実施形態のものに限定されるものではない。例えば、水素ガス発生ユニット２１の全体形状は任意であり、直方体、立方体、円筒形など機器に合わせた形状とすることができる。ノートパソコンなどの携帯機器の場合は、薄型の直方体（平板状）とすることが好ましい。水素発生部３０の形状や鉄収容部３２と水収容部３３の形状も任意とすることができる。鉄収容部３２や水収容部３３をそれぞれ独立して交換可能に構成してもよい。鉄収容部３２と水収容部３３とをパイプで接続するような構成でもよい。また、パイプの経路上にはポンプを設けて、水を供給するようにしても良い。水を加熱して水蒸気で供給する場合は、水蒸気圧により供給することができる。
【００４１】
表示ランプ５３の表示場所については図５に限定されるものではなく、適宜の場所とすることができる。装着センサー４８も収容凹部４６ａの底部以外の場所に設置してもよい。
【００４２】
本実施形態では、所定温度の検出をタイマー設定部５４において設定されている時間に基づいて行っているが、これに代えて温度センサーにより水素発生部３０の温度を検出して行ってもよい。
【図面の簡単な説明】
【００４３】
【図１】水素ガス発生ユニットを含む燃料電池をノートパソコンに搭載する場合の構成例を示す図
【図２】燃料電池モジュールの構成を示す図
【図３】水素ガス発生ユニットの構成を示す断面図
【図４】水素ガス発生ユニットの構成を示す断面図
【図５】電磁誘導加熱ユニットの構成を示す模式図
【符号の説明】
【００４４】
２１      水素ガス発生ユニット
３０      水素発生部
３１      断熱部
３２      鉄収容部
３３      水収容部
３８      カバー部材
３９      カバー部材
４１      カバー部材
４２      フィルムヒーター
４３      カバー部材
４５      電磁コイル
４６      収容ケース
４７      駆動回路
４８      装着センサー
４９      装着検出部
５０      電磁誘導加熱ユニット
５１      制御部
５２      表示駆動回路
Ｓ        燃料電池セル
【図１】
2006179276.tif 000003
【図２】
2006179276.tif 000004
【図３】
2006179276.tif 000005
【図４】
2006179276.tif 000006
【図５】
2006179276.tif 000007